(57)【要約】  【課題】本発明は、利用者のカラオケによる歌唱の際に背景映像を表示させるカラオケシステムに関し、歌唱者による歌唱中であっても宣伝効果映像の内容を同伴者等の利用者に視聴させて宣伝効果を向上させると共に、宣伝対象に対する購買意欲の喚起させることを目的とする。  【解決手段】カラオケ演奏端末１３において、選択された楽曲と関連付けられている宣伝効果映像を背景映像として表示させ、その際に、宣伝アイテム抽出手段で特定されたアクセスサーバ１７に関連付けられた所定数の宣伝アイテムを当該アクセスサーバ１７へのアクセス情報に関連させたものとしての表示ファイルを作成して遠隔入出力端末１４に送出し、アクセス情報提供手段２５が所定の利用者の所持するパーソナル携帯端末１５に対してアクセス情報を画像コード情報の表示又は発信によって提供する構成とする。  【選択図】  図１
2007199494.tif 000002
【特許請求の範囲】
【請求項１】
利用者が所定の楽曲を選択した場合に、所定数の楽曲データが格納されている楽曲格納手段より当該選択された楽曲を抽出して歌詞文字データを表示手段に表示させると共に、演奏データを出力させるカラオケ装置を備えるカラオケシステムであって、
所定数の宣伝アイテムが含まれた宣伝効果映像を所定数格納すると共に、当該宣伝アイテムに関するデータを所定数格納する宣伝効果映像格納手段と、
前記楽曲格納手段に格納されている各楽曲と前記宣伝効果映像格納手段に格納されている各宣伝効果映像とを関連付けたテーブルを備え、背景映像として表示させるための宣伝効果映像を特定する宣伝効果映像特定手段と、
表示される宣伝効果映像に含まれている宣伝アイテムが当該宣伝効果映像と関連付けられたテーブルを備えると共に、当該宣伝アイテムを取り扱う通信ネットワーク上の所定のアクセスサーバが関連付けられたテーブルを備え、前記特定された宣伝効果映像に基づいて宣伝アイテム及び当該アクセスサーバとを特定する宣伝アイテム抽出手段と、
少なくとも、前記宣伝効果映像が表示されている際に、前記宣伝アイテム抽出手段で特定された所定数の前記アクセスサーバに関連付けられた前記宣伝アイテムを、対応のアクセスサーバにアクセスさせるためのアクセス情報に関連して表示させるための表示ファイルを作成する表示ファイル作成手段と、
ユーザインタフェース機能を備えるものであると共に、前記表示ファイル作成手段で作成された前記表示ファイルに基づいて所定のアクセスサーバにアクセスするためのアクセス情報を前記所定の利用者の所持するパーソナル携帯端末に対して提供するアクセス情報提供手段を備える遠隔入出力端末と、
を有することを特徴とするカラオケシステム。
【請求項２】
請求項１記載のカラオケシステムであって、前記表示ファイル作成手段の作成する表示ファイルに含まれる前記アクセス情報は、前記アクセスサーバの前記通信ネットワーク上のネットアドレス情報をコード化した画像コード情報であり、前記遠隔入出力端末の備えるアクセス情報提供手段が前記宣伝アイテムと共に対応する当該画像コード情報を表示させることで前記パーソナル携帯端末に対してアクセス情報を提供することを特徴とするカラオケシステム。
【請求項３】
請求項１記載のカラオケシステムであって、前記表示ファイル作成手段の作成する表示ファイルに含まれる前記アクセス情報は、前記アクセスサーバの前記通信ネットワーク上のネットアドレス情報であり、前記遠隔入出力端末の備えるアクセス情報提供手段が、表示された所定の前記宣伝アイテムが選択されたときに、当該ネットアドレス情報を前記パーソナル携帯端末に対して発信してアクセス情報を提供することを特徴とするカラオケシステム。
【請求項４】
請求項１〜３の少なくとも何れかに記載のカラオケシステムであって、前記宣伝効果映像格納手段に格納されている宣伝効果映像は、前記楽曲格納手段に格納されているそれぞれの楽曲に対し、各楽曲に関連する映像中に前記宣伝アイテムを組み込ませているプロダクトプレイスメント映像であることを特徴とするカラオケシステム。
【請求項５】
請求項１〜３の少なくとも何れかに記載のカラオケシステムであって、前記宣伝効果映像格納手段に格納されている宣伝効果映像は、前記楽曲格納手段に格納されているそれぞれの楽曲に対し、各楽曲に関連する前記宣伝アイテムそのものの広告映像であることを特徴とするカラオケシステム。
【発明の詳細な説明】
【技術分野】
【０００１】
本発明は、利用者のカラオケによる歌唱の際に背景映像を表示させるカラオケシステムに関する。
【背景技術】
【０００２】
近年、通信カラオケの施設が全国的に広がりを見せ、記録技術の発展や表示装置の発展、また通信技術の発展により利用者に対して種々のサービスを提供することができるようになってきている。このようなカラオケシステムにおいては、歌唱楽曲の背景映像を利用して歌唱行為を喚起し、また、一方で映像提供者側においても背景映像の表示による映像内容についての宣伝効果の向上、宣伝対象に対する購買意欲の喚起が望まれる。
【０００３】
従来、カラオケシステムにおける映像表示で特殊効果を図るものとして、広告映像がある。この広告映像は、単に商品等を表示させるもので、カラオケ利用者の歌唱しているときには、当該歌唱楽曲の背景映像を表示し、楽曲選択前、歌唱楽曲間に時間がある場合や総ての歌唱楽曲が終了した後に、当該広告映像を表示させるものが一般的である。そこで、楽曲歌唱の際にも広告映像を表示させるものが、以下の特許文献で提案されている。
【０００４】
【特許文献１】特開２００３−１４３５８４号公報
【特許文献２】特表２００３−５２２４８２号公報
【０００５】
上記特許文献１には、近辺に無線通知する映像再生装置に関して、カラオケ演奏の合間に広告映像を表示させ、当該広告映像データに附帯してインターネット上のサイトのＵＲＬが記述されている場合に、当該ＵＲＬをパーソナル携帯情報端末にハイパーリンク形式で伝達するための電文を近距離無線通信手段により発信するということが提案されている。
【０００６】
また、上記特許文献２には、リモートコントロールユニット上への拡張されたコンテンツ情報の表示方法及びシステムに関して、ビデオ受信機の他にリモートコントロールユニットにディスプレイを備え、リモートコントロールユニットのディスプレイ上に広告等の情報を表示させることが提案されている。
【発明の開示】
【発明が解決しようとする課題】
【０００７】
しかしながら、上記特許文献１に提案されている映像再生装置では、広告映像をカラオケ演奏の合間に表示させていることから、表示させる広告映像数が少なく、場合によってはカラオケ演奏の予約が常になされていると広告映像が表示されない状態が生じ、総ての予約楽曲の演奏が終了した後にしか表示されないという問題がある。
【０００８】
また、上記特許文献２に提案されているように歌唱用の映像表示とは別の、当該カラオケシステムとは無関係のモニタやディスプレイを用意する必要があって、高価となるという問題があると共に、単に広告映像を表示させるだけであることから関心を示した利用者は新たに広告対象の商品等の詳細を知ろうとする場合には当該商品等を記録しておき、改めて当該商品等を取り扱うサイト等にアクセスしなければならず、購買意欲を減退させることになるという問題がある。
【０００９】
そこで、本発明は上記課題に鑑みなされたもので、歌唱者による歌唱中であっても宣伝効果映像の内容を同伴者等の利用者に視聴させて宣伝効果を向上させると共に、宣伝対象に対する購買意欲の喚起させるカラオケシステムを提供することを目的とする。
【課題を解決するための手段】
【００１０】
上記課題を解決するために、請求項１の発明では、利用者が所定の楽曲を選択した場合に、所定数の楽曲データが格納されている楽曲格納手段より当該選択された楽曲を抽出して歌詞文字データを表示手段に表示させると共に、演奏データを出力させるカラオケ装置を備えるカラオケシステムであって、所定数の宣伝アイテムが含まれた宣伝効果映像を所定数格納すると共に、当該宣伝アイテムに関するデータを所定数格納する宣伝効果映像格納手段と、前記楽曲格納手段に格納されている各楽曲と前記宣伝効果映像格納手段に格納されている各宣伝効果映像とを関連付けたテーブルを備え、背景映像として表示させるための宣伝効果映像を特定する宣伝効果映像特定手段と、表示される宣伝効果映像に含まれている宣伝アイテムが当該宣伝効果映像と関連付けられたテーブルを備えると共に、当該宣伝アイテムを取り扱う通信ネットワーク上の所定のアクセスサーバが関連付けられたテーブルを備え、前記特定された宣伝効果映像に基づいて宣伝アイテム及び当該アクセスサーバとを特定する宣伝アイテム抽出手段と、少なくとも、前記宣伝効果映像が表示されている際に、前記宣伝アイテム抽出手段で特定された所定数の前記アクセスサーバに関連付けられた前記宣伝アイテムを、対応のアクセスサーバにアクセスさせるためのアクセス情報に関連して表示させるための表示ファイルを作成する表示ファイル作成手段と、ユーザインタフェース機能を備えるものであると共に、前記表示ファイル作成手段で作成された前記表示ファイルに基づいて所定のアクセスサーバにアクセスするためのアクセス情報を前記所定の利用者の所持するパーソナル携帯端末に対して提供するアクセス情報提供手段を備える遠隔入出力端末と、を有する構成とする。
【００１１】
請求項２〜５の発明では、「前記表示ファイル作成手段の作成する表示ファイルに含まれる前記アクセス情報は、前記アクセスサーバの前記通信ネットワーク上のネットアドレス情報をコード化した画像コード情報であり、前記遠隔入出力端末の備えるアクセス情報提供手段が前記宣伝アイテムと共に対応する当該画像コード情報を表示させることで前記パーソナル携帯端末に対してアクセス情報を提供する」構成であり、
「前記表示ファイル作成手段の作成する表示ファイルに含まれる前記アクセス情報は、前記アクセスサーバの前記通信ネットワーク上のネットアドレス情報であり、前記遠隔入出力端末の備えるアクセス情報提供手段が、表示された所定の前記宣伝アイテムが選択されたときに、当該ネットアドレス情報を前記パーソナル携帯端末に対して発信してアクセス情報を提供する」構成であり、
「前記宣伝効果映像格納手段に格納されている宣伝効果映像は、前記楽曲格納手段に格納されているそれぞれの楽曲に対し、各楽曲に関連する映像中に前記宣伝アイテムを組み込ませているプロダクトプレイスメント映像である」構成であり、
「前記宣伝効果映像格納手段に格納されている宣伝効果映像は、前記楽曲格納手段に格納されているそれぞれの楽曲に対し、各楽曲に関連する前記宣伝アイテムそのものの広告映像である」構成である。
【発明の効果】
【００１２】
本発明によれば、カラオケ演奏端末において、選択された楽曲と関連付けられている宣伝効果映像を背景映像として表示させ、その際に、宣伝アイテム抽出手段で特定されたアクセスサーバに関連付けられた所定数の宣伝アイテムを当該アクセスサーバへのアクセス情報に関連させたものとしての表示ファイルを作成して遠隔入出力端末に送出し、アクセス情報提供手段が所定の利用者の所持するパーソナル携帯端末に対してアクセス情報を例えば画像コード情報の表示又は発信によって提供する構成とすることにより、歌唱者による歌唱中であっても宣伝効果映像の内容を同伴者等の利用者に視聴させることができ、単に宣伝効果映像を視聴させるだけでなく、当該所定の宣伝アイテムについてパーソナル携帯端末から該当のアクセスサーバにアクセス自在とさせることで宣伝効果を向上させることができると共に、宣伝対象に対する購買意欲を喚起させることができるものである。
【発明を実施するための最良の形態】
【００１３】
以下、本発明の最良の実施形態を図により説明する。以下、本発明の最良の実施形態を図により説明する。本実施形態では、宣伝効果映像としてプロダクトプレイスメント映像について説明するが、楽曲格納手段に格納されているそれぞれの楽曲に関連する宣伝アイテムそのものの広告映像であっても同様に適用することができるものである。
【００１４】
図１に、本発明に係るカラオケシステムのネットワーク接続状況の模式図及び遠隔入出力端末のブロック構成図を示す。図１（Ａ）は本発明に係るカラオケシステムのネットワーク接続状況の模式図、図１（Ｂ）は遠隔入出力端末の内部構成の一例のブロック図である。
【００１５】
図１（Ａ）において、カラオケホスト装置１１は、所定数のカラオケ演奏端末１３（１３Ａ〜１３Ｎ）を管理し、当該各端末１３に楽曲データを配信するものであり、適宜、利用者に関する所定の情報を格納する顧客データベース（顧客ＤＢ）を備える。そして、各カラオケ演奏端末１３（１３Ａ〜１３Ｎ）では、利用者が所定の楽曲を選択した場合、所定数の楽曲データが格納されている楽曲格納手段より当該選択された楽曲を抽出し、当該楽曲データに含まれる演奏データを出力すると共に、歌詞文字データを表示手段に表示させる。また、当該各カラオケ演奏端末１３は、遠隔入出力端末１４（１４Ａ〜１４Ｎ）を備える。
【００１６】
また、カラオケ演奏端末１３を利用する利用者の所持するパーソナル携帯端末１５（１５Ａ〜１５Ｎ）がネット接続中継サーバ１６（１６Ａ〜１６Ｎ）を介して通信ネットワーク１２に接続自在であり、ここでは、アクセス情報としてのネットアドレス情報（ＵＲＬ）をコード化した画像コード情報（後述の二次元バーコード）を光学的に読み取り、ネットアドレス情報としてのＵＲＬに変換する機能を備える。
【００１７】
そして、上記パーソナル携帯端末１５は、通信ネットワーク１２を介して所定のアクセスサーバであるサプライサーバ１７（１７Ａ〜１７Ｎ）とデータ授受自在とされている。上記通信ネットワーク１２としては一般公衆電話回線やこれを用いたＡＤＳＬや光通信回線あるいはインターネット、さらには、ＬＡＮなどがある。上記アクセスサーバとしては、商品等の販売や提供を行うサプライサーバ１７の他に、商品等の詳細説明することを専らとするいわゆるコマーシャルサーバもある。
【００１８】
上記遠隔入出力端末１４は、ユーザインタフェース機能を備えるものであると共に、後述の表示ファイル作成手段で作成された表示ファイルに基づいて所定のアクセスサーバであるサプライサーバ１７にアクセスするためのアクセス情報を所定の利用者の所持するパーソナル携帯端末１５に対して提供する機能を備えるものとして、図１（Ｂ）に示すように、制御手段２１、ユーザインタフェース機能としてのＧＵＩ制御手段２２、楽曲検索手段２３、送受信手段２４、アクセス情報提供手段２５及び表示手段２６を備える。
【００１９】
上記制御手段２１は、当該遠隔入出力端末１４を統括的に制御するもので、例えば物理的なＣＰＵに制御のためのプログラムが格納され、当該プログラムが図示しないＲＡＭ等に展開されて実行される。上記ＧＵＩ制御手段２２は、例えば表示手段である液晶ディスプレイ（ＬＣＤ）２６とタッチセンサとを積層した入出力用を可能とし、表示されるアイコン等に対応して当該タッチセンサにより楽曲の選択などのデータを入力することができるＧＵＩである。
【００２０】
上記楽曲検索手段２３は、例えば新曲、歌手名、曲名、ジャンルおよび履歴のそれぞれについての各楽曲情報を備え、当該楽曲名と楽曲コードとが関連付けられたテーブルを備え、利用者によって検索、選択された楽曲コードを、後述のカラオケ装置の予約管理手段に送信して予約させるものである。上記送受信手段２４は、後述のカラオケ装置とデータ授受を行うための通信方式と整合性をとるための例えば物理的な通信用回路やプラットフォーム等のソフトウエアにより構成される。
【００２１】
そこで、図２に、図１のカラオケ演奏端末のブロック構成図を示す。図２に示すカラオケ演奏端末１３は、主要装置としてのカラオケ装置３０を有するもので、バス３１、制御手段３２、ＲＡＭ３３、予約管理手段３４、音楽曲出力手段３５、再生制御手段３６、楽曲ＤＢ（楽曲データベース）３７、表示ファイル作成手段３８、媒体読取手段３９及び送受信手段４０，４１を適宜備え、宣伝アイテム抽出手段４２、宣伝効果映像格納手段である宣伝効果映像ＤＢ４３及び宣伝効果映像特定手段４４を備える。
【００２２】
また、当該カラオケ装置３０に有線及び無線で外部接続されるものとして、表示手段４５、ミキシングアンプ４６、マイク４７、スピーカ４８及び上記遠隔入出力端末１４を備える。そして、上記媒体読取手段３９に対応したＩＤ媒体４９が利用者（顧客）において所持される。なお、上記各構成について、本発明の要旨と直接関連しない要素部分であっても、従前のカラオケ装置においても大部分が適用可能であることを示すために、装置全体を説明する。
【００２３】
制御手段３２は、このシステムを統括的に制御するもので、例えば物理的なＣＰＵに制御のためのプログラムが格納され、当該プログラムはＲＡＭ３３等に展開されて実行される。当該ＲＡＭ３３は、種々のプログラムを展開、実行させるための作業領域としての役割をするものであり、例えば半導体メモリで構成され、仮想的にハードディスク上に構築される場合をも含む概念である。
【００２４】
ここで、相前後するが、楽曲ＤＢ３７は、例えばハードディスク（ＨＤＤ）等の記憶装置であり、少なくとも、演奏データ（ファイル）及びテロップデータ（ファイル）で構成される楽曲データ（ファイル）について楽曲コードをファイル名としてそれぞれ備える。演奏データ（ファイル）はそれぞれの楽曲の演奏をデジタル的なデータであり、テロップデータ（ファイル）は演奏データに対応した楽曲の歌詞文字データである。
【００２５】
上記予約管理手段３４は、利用者が選択した楽曲名と対応する楽曲コードを記憶しておき、順番に歌唱対象とするもので、そのためのメモリ領域を備え、当該メモリ領域に記憶されるデータは上記制御手段３２により制御される。すなわち、選択された楽曲コードにより上記楽曲ＤＢ３７より曲名やインデックス等を読み出して記憶させておくもので、予約状況を表示させるときには曲名をも含められる。また、当該予約管理手段３４は、ここでは後述の映像抽出処理手段４４で特定された宣伝効果映像（ファイル名）が当該楽曲コードに関連付けられて記憶される。
【００２６】
上記音楽曲出力手段３５は、楽曲コードで楽曲ＤＢ３７より抽出された楽曲データをデジタル再生し、アナログ変換してミキシングアンプ４６に出力するもので、そのためのプログラムがＲＡＭ３３に展開されて実行される。当該ミキシングアンプ４６は、マイク４７より入力した歌唱者の歌唱音声と、当該音楽曲出力手段３５より送られてくる演奏データをミキシングし、増幅してスピーカ４８より出力させるものである。
【００２７】
上記再生制御手段３６は、選択されて楽曲ＤＢ３７より抽出された楽曲データのうちのテロップデータ（歌詞文字データ）を当該楽曲の演奏データに同期させて表示手段４５に出力すると共に、特定された宣伝効果映像データを同期させて表示手段４５に出力するもので、そのためのプログラムがＲＡＭ３３に展開されて実行される。当該表示手段４５としては例えば、ブラウン管（ＣＲＴ）ディスプレイ、液晶ディスプレイ（ＬＣＤ）、プラズマディスプレイ（ＰＤＰ）等があり、特にハイビジョン化されたディスプレイが宣伝効果映像を表示するものとして好ましい。
【００２８】
上記表示ファイル作成手段３８は、送受信手段４０を介して当該カラオケ装置３０に付帯する遠隔入出力端末１４に表示させるための表示ファイルを作成すると共に、利用者に上記楽曲検索手段２３で楽曲を選曲させ、また、宣伝効果映像が表示されている際に、後述の宣伝アイテム抽出手段４２で特定された所定数のアクセスサーバとしてのサプライサーバ１７に関連付けられた宣伝アイテムを、対応のサプライサーバ１７にアクセスさせるためのアクセス情報（ＵＲＬ）に関連した表示（ここでは二次元バーコード）をさせるための表示ファイルを作成して当該遠隔入出力端末１４に転送するもので、そのためのプログラムがＲＡＭ３３に展開されて実行される。当該送受信手段４０は、遠隔入出力端末１４との間で有線方式ないし無線方式（ＩＲ方式やブルートゥース機構のピコネット接続方式など）を利用してデータ授受を行うためのもので、そのための回路基板およびプログラムを備える。
【００２９】
上記媒体読取手段３９は、利用者が所持するＩＤ媒体４９を読み取る装置である。ＩＤ媒体４９は、少なくとも利用者ＩＤを記憶し、上記媒体読取手段３９と例えば非接触でデータ授受が自在のものである。ＩＤ媒体４９としては、例えば、非接触型のＩＣカードや、携帯電話や小型モバイルコンピュータに内蔵させたＩＣカード機能回路等がある。上記送受信手段４１は、当該カラオケ装置３０と上記通信ネットワーク１２を介してデータ授受を行うためのもので、通信方式と整合性をとるための例えば物理的な通信用回路やプラットフォーム等のソフトウエアにより構成されるものである。
【００３０】
ここで、上記宣伝効果映像ＤＢ４３は、所定数の宣伝アイテムが含まれた宣伝効果映像を、上記楽曲ＤＢ３７に格納されている各楽曲（データファイル）に関連付けされて複数格納するもので、当該宣伝効果映像は、当該各楽曲に関連する映像中に宣伝アイテムを組み込ませているプロダクトプレイスメント映像である。また、ここではこれら宣伝効果映像に組み込まれているそれぞれの宣伝アイテムのイメージ画像、及び各宣伝アイテムを取り扱う上記サプライサーバ１７のＵＲＬをコード化したアクセス情報のコード画像（二次元バーコード画像）をもそれぞれ格納される。
【００３１】
このプロダクトプレイスメント映像は、従来から、映画やテレビジョン或いはゲームの映像内に、その映像の進行と調和するように、自然の流れの中で企業の商品やサービスを組み込む手法として採用されてきたものであって、利用者にとって違和感なく商品や役務（サービス）を視認して受け入れることができるため、効果的な手法となっているものである。
【００３２】
上記宣伝アイテム抽出手段４２は、少なくとも宣伝アイテム映像対応テーブル５１及び宣伝アイテムサイト対応テーブル５２を備えるもので、選択された楽曲に基づいて宣伝アイテム及びこれを取り扱うサプライサーバ１５のアクセス情報（ＵＲＬ）、及び／又は当該ＵＲＬをコード化した画像コード情報としての二次元バーコード画像（一次元バーコード画像であってもよい）を特定する（図４で説明する）。すなわち、宣伝アイテム映像対応テーブル５１は表示される宣伝効果映像に含まれている宣伝アイテムが当該宣伝効果映像と関連付けられた記憶手段（図３（Ｂ）で説明する）であり、宣伝アイテムサイト対応テーブル５２は宣伝アイテムを取り扱う上記サプライサーバ１５のアドレス（ＵＲＬ）、画像コード情報とが関連付けられた記憶手段である。
【００３３】
上記宣伝効果映像特定手段４４は、楽曲格納ＤＢ３７に格納されている各楽曲と宣伝効果映像ＤＢ４３に格納されている各宣伝効果映像とを関連付けた映像対応テーブル（図３（Ａ）で説明する）を備え、歌唱中の歌詞文字データが表示されている表示手段４５に背景映像として表示させるための宣伝効果映像を特定するためのもので、そのための記憶手段及びプログラムを備える。
【００３４】
なお、図示しないが、当該カラオケ装置３０には演奏楽曲、歌唱音声に対する種々の調節を行うボタンやツマミ類が可変抵抗器等の電子素子に直結された操作パネルも接続され、当該操作パネルはエコーや左右バランス、スピーカ４８からの出力音量のボリウム等を備える。
【００３５】
また、図３に図２の宣伝効果映像特定手段の備える映像対応テーブル及び宣伝アイテム抽出手段の備える宣伝アイテム映像対応テーブルの説明図を示すと共に、図４に図２の宣伝アイテム抽出手段の備える宣伝アイテムサイト対応テーブルの説明図を示す。図３（Ａ）は宣伝効果映像特定手段４４の備える映像対応テーブル４４Ａであり、楽曲データを特定する楽曲コードと、宣伝効果映像ＤＢ４３に格納されている宣伝効果映像データ（ファイル名）とが関連付けられたものであり、利用者が選択した楽曲の楽曲コードに基づいて映像表示する宣伝効果映像を特定させるためのものである。
【００３６】
図３（Ｂ）は、宣伝アイテム抽出手段４２に備えられる宣伝アイテム映像対応テーブル５１であり、宣伝効果映像のデータファイルと、当該宣伝効果映像に組み込まれた所定数の宣伝アイテムとが関連付けられたものである。また、図４は、宣伝効果映像に組み込まれた各宣伝アイテムと、当該各宣伝アイテムのイメージ画像のファイル名と、当該各宣伝アイテムを取り扱うサプライ側が通信ネットワーク１２上に設けている各サプライサーバ１５のサイトアドレス（ＵＲＬ）と、当該ＵＲＬがコード化されたコード画像（二次元バーコード画像）のファイル名とが関連付けられたものである。
【００３７】
ここで、図５に、図２のカラオケ演奏端末における宣伝効果映像再生に関する処理フローチャートを示す。まず、利用者が遠隔入出力端末１４の楽曲検索手段２３により楽曲の選択要求があり（ステップ（Ｓ）１）、楽曲の選択が終了すると（Ｓ２）、選択対象の楽曲コードに基づいて、宣伝効果映像特定手段４４の映像対応テーブル５１を参照して、対応の宣伝効果映像ファイル名を特定する（Ｓ３）。続いて、予約管理手段３４が当該選択された楽曲コード及びこれに関連付けて上記特定された宣伝効果映像ファイル名を順番に記憶する（Ｓ４）。
【００３８】
そして、順番で音楽曲再生を行う際（Ｓ５）、予約管理手段３４に記憶されている楽曲コードに基づいて、該当の楽曲データが楽曲ＤＢ３７より抽出され、演奏データが音楽曲出力手段３５に送出されると共に、歌詞文字データが表示手段４５に送出され、また、当該楽曲コードに関連付けられた宣伝効果映像ファイルが宣伝効果映像ＤＢ４３より抽出されて再生制御手段３６に送出されると共に、宣伝効果映像ファイル名を宣伝アイテム抽出手段４２に送出する（Ｓ６）。そして、当該楽曲データがミキシングアンプ４６を介してスピーカ４８より再生出力されると共に、これに同期させて歌詞文字データ及び該当の宣伝効果映像が再生制御手段３６で合成されて表示手段４５より背景映像として再生されるものである（Ｓ７）。
【００３９】
続いて、図６に図２のカラオケ演奏端末における遠隔入出力端末による宣伝アイテム表示の処理フローチャートを示すと共に、図７に図２のカラオケ演奏端末における遠隔入出力端末による宣伝アイテム表示の説明図を示す。図６において、宣伝アイテム抽出手段４２では、予約管理手段３４より宣伝効果映像ファイル名を入力すると（Ｓ１１）、当該宣伝効果映像ファイル名に基づいて、宣伝アイテム映像対応テーブル５１を参照して所定数の宣伝アイテムを特定し、当該各宣伝アイテムに基づいて宣伝アイテムサイト対応テーブル５２を参照してそれぞれの宣伝アイテムのイメージ画像のファイル名及び当該宣伝アイテムを取り扱うサプライサーバ１７のＵＲＬに対応した画像コード情報（二次元バーコード画像）を表示ファイル作成手段３８に送出する（Ｓ１２）。
【００４０】
表示ファイル作成手段３８が、それぞれの宣伝アイテムの画像及び対応の二次元バーコード画像を宣伝効果映像ＤＢ４３より抽出し、当該宣伝アイテムの画像及び当該宣伝アイテムのサイトのＵＲＬの二次元バーコード画像の表示ファイルを作成して遠隔入出力端末１４に送出する（Ｓ１３）。遠隔入出力端末１４では、送られてきた表示ファイルに基づいて、例えば図７（Ａ）、（Ｂ）に示すように、それぞれのＵＲＬの二次元バーコード画像５３と共に宣伝アイテム画像をサムネイル形態で表示する（Ｓ１４）。すなわち、遠隔入出力端末１４の表示手段２６に、宣伝アイテムと対応の二次元バーコード画像５３を表示させることによって、当該宣伝アイテムを取り扱う上記サプライサーバ１７のＵＲＬ情報を提供するものである。
【００４１】
そこで、利用者が、遠隔入出力端末１４において、それぞれサムネイル形態で表示させた各宣伝アイテム画像のうち、一の宣伝アイテム画像に対応したサプライサーバ１７にアクセスしようとする場合、当該利用者の所持するパーソナル携帯端末１５で選択した宣伝アイテムに対応した二次元バーコード画像５３を光学的に読み取り、当該二次元バーコード画像５３がＵＲＬに変換されることによって、当該パーソナル携帯端末１５から図１（Ａ）のネット接続中継サーバ１６、通信ネットワーク１２を介して対応ＵＲＬのサプライサーバ１７にアクセスできるものである。
【００４２】
このように、歌唱者による歌唱中であっても宣伝効果映像の内容を同伴者等の利用者に視聴させることができ、単に宣伝効果映像を視聴させるだけでなく、当該所定の宣伝アイテムを遠隔入出力端末１４に表示させ、利用者の所持するパーソナル携帯端末１５から所望の宣伝アイテムについて該当のサプライサーバ１７にアクセス自在とさせることで宣伝効果を向上させることができると共に、宣伝対象に対する購買意欲を喚起させることができるものである。
【００４３】
次に、図８に、図１のカラオケ演奏端末におけるアクセス情報提供に関する他の構成のブロック構成図を示す。図８（Ａ）は宣伝アイテム抽出手段４２のブロック構成図、図８（Ｂ）はカラオケホスト装置１１の少なくとも備える構成のブロック構成図である。図８（Ａ）に示す宣伝アイテム抽出手段４２は、上記構成の他に、利用者ＩＤ取得手段６１及び通信ＩＤ取得手段６２を備える。
【００４４】
上記利用者ＩＤ取得手段６１は、ＩＤ媒体４９より読み取った利用者ＩＤを取得して記憶しておくもので、そのためのプログラムを備える。上記通信ＩＤ取得手段６１は、後述のカラオケホスト装置１１の備える顧客ＤＢに格納されている利用者情報のうち、当該利用者ＩＤに関連付けられてカラオケ演奏端末１３を使用する際の当該利用者の所持するパーソナル携帯端末１５の通信ＩＤを当該カラオケホスト装置１１に要求して取得するもので、そのためのプログラム及び記憶手段を備える。
【００４５】
一方、図８（Ｂ）に示すように、カラオケホスト装置１１は、少なくとも送受信手段７１、制御手段７２、データ抽出手段７３及び顧客情報格納手段である顧客ＤＢ７４を備える。ここで、顧客ＤＢ７４は、各カラオケ演奏端末１３（１３Ａ〜１３Ｎ）の各利用者が、例えば会員として予め属性情報を格納しておくもので、その属性情報としては、例えば、利用者ＩＤ、氏名、セカンドネーム、郵便番号、住所、電話、年齢、性別が含まれ、適宜、登録者の顔写真等のイメージファイル名が関連づけられたものであり、ここでは上記のようにカラオケ演奏端末１３を使用する際の利用者が所持するパーソナル携帯端末１５の通信ＩＤをも関連付けられているものである。例えば、当該通信ＩＤを利用者ＩＤと同じ、又は所持されているパーソナル携帯端末１５特有の通信ＩＤをそのまま使用することとしてもよい。
【００４６】
上記送受信手段７１は、各カラオケ演奏端末１３との通信（データ授受）を行うために、通信ネットワーク１２の通信方式と整合性をとるための例えば物理的な通信用回路やプラットフォーム等のソフトウエアにより構成される。上記制御手段７２は、当該カラオケホスト装置１１を統括的に制御するもので、例えば物理的なＣＰＵに制御のためのプログラムが格納され、当該プログラムが図示しないＲＡＭ等に展開されて実行される。上記データ抽出手段７３は、例えば利用者ＩＤに基づいて、少なくとも当該利用者の所持するパーソナル携帯端末１５の通信ＩＤを顧客ＤＢ７４より抽出させて送受信手段７１を介して対応のカラオケ演奏端末１３に送信させるもので、そのためのプログラムを有してＲＡＭ等に展開されて実行されるものである。
【００４７】
ところで、図１（Ｂ）に示す上記遠隔入出力端末１４のアクセス情報提供手段２５は、ここでは例えばブルートゥース通信手段であり、所定のエリア範囲内でパーソナル携帯端末１５との間でピコネットを確立し、所定数のパーソナル携帯端末１５を通信ＩＤで特定して予め定められたプロトコル、周波数にしたがって無線通信するもので、選択された宣伝アイテムに関する通信ネットワーク１２上のサプライサーバ１７のサイトＵＲＬを特定された通信ＩＤのパーソナル携帯端末１５に発信してアクセス情報を提供するものである。
【００４８】
そこで、図９に、図８に係るカラオケ演奏端末におけるパーソナル携帯端末の通信ＩＤ情報取得に関する処理フローチャートを示す。図９において、利用者ＩＤの読み取りは、従前のように歌唱ログ等の取得の他に、歌唱時に背景映像として宣伝効果映像を表示させ、また当該利用者の所持するパーソナル携帯端末１５の通信ＩＤを特定させることを前提としたものであり、利用者がカラオケ装置３０の媒体読取手段３９に利用者所有のＩＤ媒体４９が提示されたときに（Ｓ２１）、当該媒体読取手段３９が少なくとも利用者ＩＤを読み取り、宣伝アイテム抽出手段４２の利用者ＩＤ取得手段６１に一旦記憶する（Ｓ２２）。
【００４９】
宣伝アイテム抽出手段４２の通信ＩＤ取得手段６２が、利用者ＩＤ取得手段５１が記憶された利用者ＩＤに基づき、送受信手段４１より通信ネットワーク１２を介してカラオケホスト装置１１に対し、顧客ＤＢ７４に格納されている当該利用者ＩＤに関する通信ＩＤを要求する（Ｓ２３）。カラオケホスト装置１１では、利用者ＩＤに基づく通信ＩＤ要求に応じて、当該通信ＩＤが登録されている場合には、データ抽出手段７３が顧客ＤＢ７４より当該利用者ＩＤに関連付けされた該当の通信ＩＤを抽出して対応のカラオケ演奏端末１３に送信する。
【００５０】
そして、カラオケホスト装置１１より送出されてきた当該利用者ＩＤに関する通信ＩＤを受信したときに、宣伝アイテム抽出手段４２の通信ＩＤ取得手段６２が当該利用者の所持するパーソナル携帯端末１５の通信ＩＤとして当該利用者ＩＤと関連付けて記憶する（Ｓ２４）。
【００５１】
そこで、図１０に、図８に係るカラオケ演奏端末における遠隔入出力端末によるアクセス情報発信の処理フローチャートを示す。なお、カラオケ演奏端末における宣伝効果映像再生に関する処理は、上述の図５と同様であり、その後の遠隔入出力端末１４からのアクセス情報提供の処理について説明する。
【００５２】
図１０において、宣伝アイテム抽出手段４２では、予約管理手段３４より宣伝効果映像ファイル名を入力すると（Ｓ３１）、当該宣伝効果映像ファイル名に基づいて、宣伝アイテム映像対応テーブル５１を参照して所定数の宣伝アイテムを特定し、当該各宣伝アイテムに基づいて宣伝アイテムサイト対応テーブル５２を参照してそれぞれの宣伝アイテムのイメージ画像のファイル名と当該宣伝アイテムを取り扱うサプライサーバ１７のサイトアドレス（ＵＲＬ）を関連付けて表示ファイル作成手段３８に送出する（Ｓ３２）。
【００５３】
表示ファイル作成手段３８が、それぞれの宣伝アイテムの画像を宣伝効果映像ＤＢ４３より抽出し、当該宣伝アイテムの画像と当該宣伝アイテムのサイトのＵＲＬに基づいて表示ファイルを作成して遠隔入出力端末１４に送出する（Ｓ３３）。遠隔入出力端末１４では、送られてきた表示ファイルを、例えば図７の二次元バーコードが表示されない状態のように、それぞれの宣伝アイテム画像をサムネイル形態で表示する（Ｓ３４）。
【００５４】
そこで、利用者が、遠隔入出力端末１４において、それぞれサムネイル形態で表示させた各宣伝アイテム画像のうち、利用者等による利用者ＩＤを特定して一の宣伝アイテム画像が指定されて選択されたときに、関連付けられたＵＲＬの情報を、アクセス情報提供手段２５が当該利用者ＩＤで特定される通信ＩＤのパーソナル携帯端末１５に発信するものである（Ｓ３５）。なお、パーソナル携帯端末１５では、アクセス情報提供手段２５より送信されてきたＵＲＬを使用して、図１に示すようにネット接続中継サーバ１６、通信ネットワーク１２を介して該当のＵＲＬサイトのサプライサーバ１７にアクセスすることが可能となるものである。
【００５５】
このように、歌唱者による歌唱中であっても宣伝効果映像の内容を同伴者等の利用者に視聴させることができ、単に宣伝効果映像を視聴させるだけでなく、当該所定の宣伝アイテムを遠隔入出力端末１４に表示させ、所望の宣伝アイテムについて該当のサプライサーバ１５のＵＲＬを当該利用者のパーソナル携帯端末１５に提供してアクセス自在とさせることで宣伝効果を向上させることができると共に、宣伝対象に対する購買意欲を喚起させることができるものである。
【産業上の利用可能性】
【００５６】
本発明のカラオケシステムは、利用者のカラオケによる歌唱の際に選択された宣伝効果映像を表示出力する場合に適する。
【図面の簡単な説明】
【００５７】
【図１】本発明に係るカラオケシステムのネットワーク接続状況の模式図及び遠隔入出力端末のブロック構成図である。
【図２】図１のカラオケ演奏端末のブロック構成図である。
【図３】図２の宣伝効果映像特定手段の備える映像対応テーブル及び宣伝アイテム抽出手段の備える宣伝アイテム映像対応テーブルの説明図である。
【図４】図２の宣伝アイテム抽出手段の備える宣伝アイテムサイト対応テーブルの説明図である。
【図５】図２のカラオケ演奏端末における宣伝効果映像再生に関する処理フローチャートである。
【図６】図２のカラオケ演奏端末における遠隔入出力端末による宣伝アイテム表示の処理フローチャートである。
【図７】図２のカラオケ演奏端末における遠隔入出力端末による宣伝アイテム表示の説明図である。
【図８】図１のカラオケ演奏端末におけるアクセス情報提供に関する他の構成のブロック構成図である。
【図９】図８に係るカラオケ演奏端末におけるパーソナル携帯端末の通信ＩＤ取得に関する処理フローチャートである。
【図１０】図８に係るカラオケ演奏端末における遠隔入出力端末によるアクセス情報発信の処理フローチャートである。
【符号の説明】
【００５８】
１１            カラオケホスト装置
１２            通信ネットワーク
１３            カラオケ演奏端末
１４            遠隔入出力端末
１５            パーソナル携帯端末
１６            ネット接続中継サーバ
１７            サプライサーバ
２５            アクセス情報提供手段
３０            カラオケ装置
３７            楽曲ＤＢ
３８            表示ファイル作成手段
４２            宣伝アイテム抽出手段
４３            宣伝効果映像ＤＢ
４４            宣伝効果映像特定手段
５１            宣伝アイテム映像対応テーブル
５２            宣伝アイテムサイト対応テーブル
５３            二次元バーコード
６２            通信ＩＤ取得手段
７４            顧客ＤＢ
【図１】
2007199494.tif 000003
【図２】
2007199494.tif 000004
【図３】
2007199494.tif 000005
【図４】
2007199494.tif 000006
【図５】
2007199494.tif 000007
【図６】
2007199494.tif 000008
【図７】
2007199494.tif 000009
【図８】
2007199494.tif 000010
【図９】
2007199494.tif 000011
【図１０】
2007199494.tif 000012